(57)【要約】本発明はドメイン転換動作を制御する方法、端末、及びサーバに関する。一実施形態によれば、サーバは、ドメイン転換要求を受信する受信部と、基準情報に基づいてドメイン転換要求を評価し、その評価結果に基づいてドメイン転換要求メッセージを生成するか否かを決定し、その決定結果に基づいてドメイン転換要求メッセージを生成する制御部と、呼のドメイン転換を選択的に開始するために、ドメイン転換要求メッセージを少なくとも１つの端末に送信する送信部とを含む。
2009524977.tif 000002
【特許請求の範囲】
【請求項１】
ネットワークサーバからドメイン転換関連情報を含むメッセージを受信する受信部と、
前記ドメイン転換関連情報、並びにユーザ嗜好情報及びオペレータポリシー情報の少なくとも一方を評価し、その評価結果に基づいて呼のドメイン転換を開始するか否かを決定し、その決定結果に基づいてドメイン転換を選択的に開始する制御部と
を含むことを特徴とするドメイン転換動作を制御する端末。
【請求項２】
前記呼が、進行中の呼、又は前記メッセージを受信した後に発信する後続の呼であることを特徴とする請求項１に記載のドメイン転換動作を制御する端末。
【請求項３】
前記ドメイン転換関連情報が、ドメイン転換要求のレベルを示すドメイン転換レベル情報を含むことを特徴とする請求項１に記載のドメイン転換動作を制御する端末。
【請求項４】
前記ドメイン転換要求のレベルは、
ドメイン転換を必ず行わなければならないこと（ｍｕｓｔ  ｂｅ  ｐｅｒｆｏｒｍｅｄ）を示す第１レベル、
ドメイン転換を行うことが好ましいこと（ｓｈｏｕｌｄ  ｐｒｅｆｅｒａｂｌｙ  ｐｅｒｆｏｒｍｅｄ）を示す第２レベル、及び
ドメイン転換を行うことができること（ｃａｎ  ｂｅ  ｐｅｒｆｏｒｍｅｄ）を示す第３レベル
のいずれか１つであることを特徴とする請求項３に記載のドメイン転換動作を制御する端末。
【請求項５】
前記制御部は、前記ドメイン転換レベル情報、前記ユーザ嗜好情報、及び前記オペレータポリシー情報を評価することにより、ドメイン転換を開始するか否かを決定することを特徴とする請求項３に記載のドメイン転換動作を制御する端末。
【請求項６】
前記受信部は、Ｖ３インタフェース、ユニキャスト方式、ブロードキャスト方式、又はマルチキャスト方式により、前記ネットワークサーバから前記メッセージを受信することを特徴とする請求項１に記載のドメイン転換動作を制御する端末。
【請求項７】
前記ドメイン転換関連情報が、ネットワーク状態情報及び前記ネットワークサーバによるドメイン転換要求の評価に関する評価情報の少なくとも一方をさらに含むことを特徴とする請求項３に記載のドメイン転換動作を制御する端末。
【請求項８】
前記メッセージに対する応答メッセージを前記ネットワークサーバに送信する送信部をさらに含むことを特徴とする請求項１に記載のドメイン転換動作を制御する端末。
【請求項９】
前記受信部は、前記メッセージを他の目的のためのメッセージの一部として受信することを特徴とする請求項１に記載のドメイン転換動作を制御する端末。
【請求項１０】
ネットワークサーバからドメイン転換関連情報を含むメッセージを受信する受信部と、
前記ドメイン転換関連情報を含む前記メッセージを評価し、その評価結果に基づいて呼のドメイン転換を開始するか否かを決定し、その決定結果に基づいてドメイン転換を選択的に開始する制御部と
を含むことを特徴とするＶＣＣ動作を制御する端末。
【請求項１１】
前記呼が、進行中の呼、又は前記メッセージを受信した後に発信する後続の呼であることを特徴とする請求項１０に記載のＶＣＣ動作を制御する端末。
【請求項１２】
前記ドメイン転換関連情報がドメイン転換要求を含むことを特徴とする請求項１０に記載のＶＣＣ動作を制御する端末。
【請求項１３】
前記メッセージが、ネットワーク状態情報、及び前記ネットワークサーバの評価者（ｅｖａｌｕａｔｏｒ）により行われたドメイン転換要求の評価に関する評価情報をさらに含み、
前記制御部は、前記ドメイン転換関連情報、前記ネットワーク状態情報、及び前記評価情報を評価することにより、ドメイン転換を開始するか否かを決定することを特徴とする請求項１０に記載のＶＣＣ動作を制御する端末。
【請求項１４】
前記受信部は、前記メッセージを他の目的のためのメッセージの一部として受信することを特徴とする請求項１０に記載のＶＣＣ動作を制御する端末。
【請求項１５】
基準情報に基づいてドメイン転換要求情報を分析し、その分析結果に基づいてドメイン転換要求メッセージを生成する制御部と、
端末が進行中の呼のドメイン転換を選択的に開始するように制御するために、前記ドメイン転換要求メッセージを少なくとも１つの端末に送信する送信部と
を含むことを特徴とするドメイン転換動作を制御するネットワーク装置。
【請求項１６】
前記ネットワーク装置が、ＶＣＣ（Ｖｏｉｃｅ  Ｃａｌｌ  Ｃｏｎｔｉｎｕｉｔｙ）アプリケーションサーバであることを特徴とする請求項１５に記載のドメイン転換動作を制御するネットワーク装置。
【請求項１７】
前記ドメイン転換要求メッセージは、
ドメイン転換を必ず行わなければならないこと（ｍｕｓｔ  ｂｅ  ｐｅｒｆｏｒｍｅｄ）、
ドメイン転換を行うことが好ましいこと（ｓｈｏｕｌｄ  ｐｒｅｆｅｒａｂｌｙ  ｐｅｒｆｏｒｍｅｄ）、及び
ドメイン転換を行うことができること（ｃａｎ  ｂｅ  ｐｅｒｆｏｒｍｅｄ）
のいずれか１つを示すドメイン転換関連情報を含むことを特徴とする請求項１５に記載のドメイン転換動作を制御するネットワーク装置。
【請求項１８】
前記送信部は、前記ドメイン転換要求メッセージを複数の端末に同時に送信することを特徴とする請求項１５に記載のドメイン転換動作を制御するネットワーク装置。
【請求項１９】
前記送信部は、マルチキャスト方式又はブロードキャスト方式を用いて、前記ドメイン転換要求メッセージを複数の端末に送信することを特徴とする請求項１５に記載のドメイン転換動作を制御するネットワーク装置。
【請求項２０】
前記送信部は、Ｖ３インタフェース又はユニキャスト方式を用いて、前記ドメイン転換要求メッセージを１つの端末に送信することを特徴とする請求項１５に記載のドメイン転換動作を制御するネットワーク装置。
【請求項２１】
ドメイン転換要求を受信する受信部と、
基準情報に基づいて前記ドメイン転換要求を評価し、その評価結果に基づいてドメイン転換要求メッセージを生成するか否かを決定し、その決定結果に基づいて前記ドメイン転換要求メッセージを生成する制御部と、
呼のドメイン転換を選択的に開始するために、前記ドメイン転換要求メッセージを少なくとも１つの端末に送信する送信部と
を含むことを特徴とするドメイン転換動作を制御するサーバ。
【請求項２２】
前記受信部は、前記サーバの外部ノード又は内部モジュールから前記ドメイン転換要求を受信することを特徴とする請求項２１に記載のドメイン転換動作を制御するサーバ。
【請求項２３】
前記ドメイン転換要求メッセージは、
ドメイン転換を必ず行わなければならないこと（ｍｕｓｔ  ｂｅ  ｐｅｒｆｏｒｍｅｄ）、
ドメイン転換を行うことが好ましいこと（ｓｈｏｕｌｄ  ｐｒｅｆｅｒａｂｌｙ  ｐｅｒｆｏｒｍｅｄ）、及び
ドメイン転換を行うことができること（ｃａｎ  ｂｅ  ｐｅｒｆｏｒｍｅｄ）
のいずれか１つを示すドメイン転換関連情報を含むことを特徴とする請求項２１に記載のドメイン転換動作を制御するサーバ。
【請求項２４】
前記ドメイン転換要求メッセージが、ネットワーク状態情報、及び前記制御部により行われた前記ドメイン転換要求の評価に関する評価情報をさらに含むことを特徴とする請求項２１に記載のドメイン転換動作を制御するサーバ。
【請求項２５】
ネットワークサーバが、呼のドメイン転換の開始を要求するか否かを決定する段階と、
前記ネットワークサーバが、前記決定結果に基づいて、端末に対する呼のドメイン転換の開始要求を含むメッセージを生成する段階と、
前記ネットワークサーバが、前記メッセージを少なくとも１つの端末に送信する段階と
を含むことを特徴とするドメイン転換動作を制御する方法。
【請求項２６】
前記決定する段階は、
前記ネットワークサーバの外部ノード又は内部モジュールからドメイン転換要求を受信する段階と、
基準情報に基づいて前記受信したドメイン転換要求を分析する段階と、
前記分析結果に基づいて前記ドメイン転換の開始が要求されるか否かを決定する段階と
を含むことを特徴とする請求項２５に記載のドメイン転換動作を制御する方法。
【請求項２７】
前記メッセージは、
ドメイン転換を必ず行わなければならないこと（ｍｕｓｔ  ｂｅ  ｐｅｒｆｏｒｍｅｄ）、
ドメイン転換を行うことが好ましいこと（ｓｈｏｕｌｄ  ｐｒｅｆｅｒａｂｌｙ  ｐｅｒｆｏｒｍｅｄ）、及び
ドメイン転換を行うことができること（ｃａｎ  ｂｅ  ｐｅｒｆｏｒｍｅｄ）
のいずれか１つを示すドメイン転換関連情報を含むことを特徴とする請求項２５に記載のドメイン転換動作を制御する方法。
【請求項２８】
前記メッセージが、ネットワーク状態情報、及び前記分析段階で行われた分析に関する評価情報をさらに含むことを特徴とする請求項２７に記載のドメイン転換動作を制御する方法。
【請求項２９】
前記送信する段階は、
マルチキャスト方式又はブロードキャスト方式を用いて、前記メッセージを複数の端末に送信することを特徴とする請求項２５に記載のドメイン転換動作を制御する方法。
【請求項３０】
前記送信する段階は、
Ｖ３インタフェース又はユニキャスト方式を用いて、前記メッセージを１つの端末に送信することを特徴とする請求項２５に記載のドメイン転換動作を制御する方法。
【請求項３１】
端末が、ネットワークサーバからドメイン転換関連情報を含むドメイン転換要求メッセージを受信する段階と、
前記端末が、前記ドメイン転換関連情報、並びにユーザ嗜好情報及びオペレータポリシー情報の少なくとも一方を評価する段階と、
前記端末が、前記評価結果に基づいて進行中の呼のドメイン転換を開始するか否かを決定する段階と、
前記端末が、前記決定結果に基づいて前記進行中の呼のドメイン転換を選択的に開始する段階と
を含むことを特徴とするドメイン転換動作を制御する方法。
【請求項３２】
前記ドメイン転換関連情報が、ドメイン転換要求のレベルを示すドメイン転換レベル情報を含むことを特徴とする請求項３１に記載のドメイン転換動作を制御する方法。
【請求項３３】
前記ドメイン転換要求のレベルは、
ドメイン転換を必ず行わなければならないこと（ｍｕｓｔ  ｂｅ  ｐｅｒｆｏｒｍｅｄ）を示す第１レベル、
ドメイン転換を行うことが好ましいこと（ｓｈｏｕｌｄ  ｐｒｅｆｅｒａｂｌｙ  ｐｅｒｆｏｒｍｅｄ）を示す第２レベル、及び
ドメイン転換を行うことができること（ｃａｎ  ｂｅ  ｐｅｒｆｏｒｍｅｄ）を示す第３レベル
のいずれか１つであることを特徴とする請求項３２に記載のドメイン転換動作を制御する方法。
【請求項３４】
前記制御部は、前記ドメイン転換レベル情報、前記ユーザ嗜好情報、及び前記オペレータポリシー情報を評価することにより、ドメイン転換を開始するか否かを決定することを特徴とする請求項３２に記載のドメイン転換動作を制御する方法。
【請求項３５】
前記受信部は、Ｖ３インタフェース又はユニキャスト方式を用いて、前記ネットワークから前記ドメイン転換メッセージを受信することを特徴とする請求項３１に記載のドメイン転換動作を制御する方法。
【請求項３６】
前記ドメイン転換関連情報が、ネットワーク状態情報、及び前記ネットワークサーバにより行われたドメイン転換要求の評価に関する評価情報の少なくとも一方をさらに含むことを特徴とする請求項３１に記載のドメイン転換動作を制御する方法。
【発明の詳細な説明】
【技術分野】
【０００１】
本出願は、２００６年２月６日付けで出願された米国仮出願番号６０／７６５，２１２号、並びに２００６年１１月２３日及び２００６年１２月２７日付けでそれぞれ大韓民国に出願された韓国出願番号１０−２００６−０１１６５７５号及び１０−２００６−０１３５６２２号の優先権を主張する。これら出願の全内容は参考として本出願に全て援用される。
【０００２】
本発明はＶＣＣ（Ｖｏｉｃｅ  Ｃａｌｌ  Ｃｏｎｔｉｎｕｉｔｙ）に関し、特にＶＣＣにおけるドメイン転換（ｄｏｍａｉｎ  ｔｒａｎｓｆｅｒ）の要求に関する。
【背景技術】
【０００３】
一般的に、ＶＣＣとは、アプリケーションの一種、すなわちＣＳ（Ｃｉｒｃｕｉｔ  Ｓｗｉｔｃｈｉｎｇ）ドメインとＩＭＳ（ＩＰ  Ｍｕｌｔｉｍｅｄｉａ  Ｓｕｂｓｙｓｔｅｍ）ドメイン間で音声呼を転送できるホームＩＭＳアプリケーションをいう。ＶＣＣは、音声呼発信（ｖｏｉｃｅ  ｃａｌｌ  ｏｒｉｇｉｎａｔｉｏｎ）、音声呼着信（ｖｏｉｃｅ  ｃａｌｌ  ｔｅｒｍｉｎａｔｉｏｎ）、ドメイン選択、及びＣＳドメインからＩＭＳドメインへのドメイン転換又はその逆方向のドメイン転換の機能を提供する。ここで、ドメイン転換とは、アクティブセッションでユーザ装置（Ｕｓｅｒ  Ｅｑｕｉｐｍｅｎｔ；  ＵＥ）（すなわち、端末）への音声呼に対するアクセスレッグ（ａｃｃｅｓｓ  ｌｅｇ）がＣＳドメインからＩＭＳドメインに又はその逆方向に転換されることをいう。前記アクセスレッグとは、ＶＣＣ  ＵＥとＶＣＣアプリケーション（サーバ）のＤＴＦ（Ｄｏｍａｉｎ  Ｔｒａｎｓｆｅｒ  Ｆｕｎｃｔｉｏｎ）間の呼制御レッグ（ｃａｌｌ  ｃｏｎｔｒｏｌ  ｌｅｇ）をいう。
【０００４】
前記ドメイン転換手順は、ＶＣＣ  ＵＥが少なくとも１つの音声呼／セッションを維持する間、ＩＭＳドメインとＣＳドメイン間で前記少なくとも１つの音声呼／セッションに対するサービスの連続性（ｓｅｒｖｉｃｅ  ｃｏｎｔｉｎｕｉｔｙ）を提供する。
【０００５】
一般的に、特定音声呼／セッションのＣＳドメインからＩＭＳドメインへのドメイン転換、又はその逆方向のドメイン転換は、その音声呼／セッション設定の信号経路上にＤＴＦが位置する場合にのみ開始される。このためにＤＴＦを音声呼／セッション設定の信号経路の中間に位置させることを、ＩＭＳアンカリング（ａｎｃｈｏｒｉｎｇ  ｉｎ  ＩＭＳ）又はアンカリングという。
【０００６】
図１はＶＣＣサービスを提供するネットワークの一般的な構造を示す図である。
【０００７】
図１に示すように、ＶＣＣ  ＵＥ  １０とは、ＶＣＣサービスをサポートする全てのタイプの端末をいう。前記ＶＣＣ  ＵＥは、ＣＳ及びＰＳ（Ｐａｃｋｅｔ  Ｓｗｉｔｃｈｉｎｇ）ドメインにアクセスできる。すなわち、前記ＶＣＣ  ＵＥは、ＣＳドメインにアクセスするときは、その内部に備えられているＵＥ−ＣＳ（図示せず）を使用し、ＰＳドメインにアクセスするときは、その内部に備えられているＵＥ−ＩＭＳ（図示せず）を使用する。
【０００８】
ＶＣＣアプリケーション３０は、ＶＣＣサービスを提供するアプリケーションサーバであり、一連の機能を実行するエンティティから構成される。前記一連の機能は、ＶＣＣ  ＵＥに音声呼を設定するために要求される機能と、アクティブセッションを維持（実行）してＣＳドメインとＩＭＳドメイン間でＶＣＣ  ＵＥのアクセスレッグをスイッチングするために要求される機能とを含む。例えば、前記一連の機能は、ドメイン転換機能（Ｄｏｍａｉｎ  Ｔｒａｎｓｆｅｒ  Ｆｕｎｃｔｉｏｎ）３０ａ、ドメイン選択機能（Ｄｏｍａｉｎ  Ｓｅｌｅｃｔｉｏｎ  Ｆｕｎｃｔｉｏｎ）３０ｄ、ＣＳ適応機能（ＣＳ  Ａｄａｐｔａｔｉｏｎ  Ｆｕｎｃｔｉｏｎ）３０ｂ、ＣＡＭＥＬサービスアプリケーション（ＣＡＭＥＬ  Ｓｅｒｖｉｃｅ  Ａｐｐｌｉｃａｔｉｏｎ）３０ｃである。前記一連の機能の詳細な機能及び動作は、３ＧＰＰ  ＴＳ  ２３．２０６  Ｖ１．２．０に記述されている。
【０００９】
一般的に、ＣＳドメインエンティティは、ＶＭＳＣ（Ｖｉｓｉｔｅｄ  Ｍｏｂｉｌｅ  Ｓｗｉｔｃｈｉｎｇ  Ｃｅｎｔｅｒ）、ＧＭＳＣ（Ｇａｔｅｗａｙ  ＭＳＣ）、ｇｓｍＳＣＦなどを含む。ＩＭＳドメインエンティティは、Ｐ−ＣＳＣＦ、Ｓ−ＣＳＣＦ、Ｉ−ＣＳＣＦ、及びＭＧＣＦ（Ｍｅｄｉａ  Ｇａｔｅｗａｙ  Ｃｏｎｔｒｏｌ  Ｆｕｎｃｔｉｏｎ）を含む。
【００１０】
図２は、ＩＭＳドメインとＣＳドメイン間でドメイン転換が発生した場合におけるネットワーク（例えば、図１に示すネットワーク）の各構成要素間の信号フローを示す図である。以下、従来のＶＣＣサービスにおけるドメイン転換手順を図２を参照して説明する。
【００１１】
図２に示すように、ＶＣＣでドメイン転換を開始する主体はＶＣＣ  ＵＥである。すなわち、前記ＶＣＣ  ＵＥがネットワークと共に音声呼（又は、セッション）をＣＳドメイン又はＩＭＳドメインに設定した後、１つのドメインから他のドメインに移動（転換）してドメイン転換を開始するか否かを決定できる。このようにすることにより、前記設定された音声呼（いわゆる「進行中の呼（ｏｎｇｏｉｎｇ  ｃａｌｌ）」）が、ＣＳドメインからＩＭＳドメインへのハンドオーバ（すなわち、ドメイン転換）又はその逆方向のハンドオーバ中も継続する。ここで、前記音声呼の１つのドメイン（例えば、ＩＭＳドメイン）から他のドメイン（例えば、ＣＳドメイン）へのドメイン転換を開始（実行）する場合、前記ＶＣＣ  ＵＥは、予め保存されている情報に基づいてドメイン転換を開始する。ここで、前記ＶＣＣ  ＵＥに予め保存されている情報は、アクセスするＣＳネットワークの無線条件、オペレータポリシー、及びユーザの嗜好などを含む。
【００１２】
以下、従来のＶＣＣ  ＵＥがＣＳドメインからＩＭＳドメインにドメイン転換を開始する手順（１）〜（４）を簡単に説明する。
【００１３】
（１）ＶＣＣ  ＵＥが、発信されてＣＳドメインに進行中の音声呼、すなわち発信呼に対してドメイン転換を開始することを決定する。
【００１４】
（２）前記ＶＣＣ  ＵＥがＶＣＣアプリケーションにＩＮＶＩＴＥメッセージを送信すると、前記ＶＣＣアプリケーションにあるＤＴＦは、ＩＭＳドメインに前記音声呼に対するＩＭＳセッションレッグ（ｓｅｓｓｉｏｎ  ｌｅｇ）を設定する。
【００１５】
（３）前記ＩＭＳセッションレッグが前記ＤＴＦと前記ＩＭＳドメイン間に設定された後、前記ＤＴＦは、前記進行中のセッションを前記ＩＭＳドメインにルーティングする。
【００１６】
（４）前記進行中のセッションを前記ＩＭＳドメインにルーティングした後、ＣＳセッションレッグを解除する。
【００１７】
このように、前記手順（１）〜（４）により、音声呼のＣＳドメインからＩＭＳドメインへのドメイン転換が実行される。
【００１８】
ＶＣＣにおけるドメイン転換の場合、現在のＶＣＣではＶＣＣ  ＵＥのみが特定基準（例えば、ユーザの嗜好、オペレータポリシーなど）を考慮してドメイン転換を開始できる。すなわち、従来は、ネットワーク（例えば、ＶＣＣアプリケーション）が現在のネットワーク状態、特定ノードのデータロード、維持可能なＱｏＳ（Ｑｕａｌｉｔｙ  ｏｆ  Ｓｅｒｖｉｃｅ）、又はＶＣＣ  ＵＥの位置に基づいてドメイン転換を開始できる方法がなかった。
【００１９】
また、ネットワークのメンテナンス又はアップグレードのために、ネットワークが特定ドメイン上で特定時間トラフィックを減少させたり、トラフィックの流入を防ぐ場合がある。このような場合、従来は、ネットワークがＶＣＣ  ＵＥに現在の呼の特定ドメイン（例えば、ＣＳドメイン又はＩＭＳドメイン）へのドメイン転換を開始させるようにする（開始するように要求する）方法がなかった。
【発明の開示】
【発明が解決しようとする課題】
【００２０】
そこで、本発明の目的は、ネットワーク状態又は他の理由によってネットワーク（例えば、ＶＣＣアプリケーション）が端末（例えば、ＶＣＣ  ＵＥ）にドメイン転換を開始するように要求することにある。
【００２１】
本発明の他の目的は、従来技術の限界と欠点を解決する、ドメイン転換を要求する方法及び装置を提供することにある。
【課題を解決するための手段】
【００２２】
本発明の上記及びその他の目的を達成するために、本発明の一態様によれば、ネットワークサーバに受信されたドメイン転換要求情報を評価する段階と、前記ドメイン転換要求情報の評価に基づいて、前記ネットワークサーバが端末にドメイン転換要求メッセージを伝達する段階と、前記端末が前記ドメイン転換要求メッセージを受信して評価する段階と、前記評価されたドメイン転換要求メッセージに基づいて、前記端末が呼のドメイン転換を開始するか否かを決定する段階とを含む、ドメイン転換の開始を要求する方法を提供する。
【００２３】
本発明の上記及びその他の目的を達成するために、本発明の他の態様によれば、ネットワークサーバからドメイン転換要求メッセージを受信する受信部と、前記受信したドメイン転換要求メッセージに対する応答メッセージを送信する送信部と、前記ドメイン転換要求メッセージを評価することにより進行中の呼のドメイン転換を開始するか否かを決定し、その決定によってドメイン転換を開始するＶＣＣイネイブラーとを含む、端末（又は、ＵＥ）を提供する。
【００２４】
本発明の上記及びその他の目的を達成するために、本発明のさらに他の態様によれば、ドメイン転換要求情報及び端末により伝達された応答メッセージを受信する受信部と、予め保存されている条件と比較することにより前記受信したドメイン転換要求情報を評価する評価部と、前記評価されたドメイン転換要求情報に基づいて、ドメイン転換要求メッセージを生成するメッセージ生成部と、前記生成されたドメイン転換要求メッセージを前記端末に送信する送信部とを含む、ネットワークサーバを提供する。
【００２５】
さらに他の態様によれば、本発明は、ネットワークサーバからドメイン転換関連情報を含むメッセージを受信する受信部と、前記ドメイン転換関連情報、並びにユーザ嗜好情報及びオペレータポリシー情報の少なくとも一方を評価し、その評価結果に基づいて呼のドメイン転換を開始するか否かを決定し、その決定結果に基づいてドメイン転換を選択的に開始する制御部とを含む、ドメイン転換動作を制御する端末を提供する。
【００２６】
さらに他の態様によれば、本発明は、ネットワークサーバからドメイン転換関連情報を含むメッセージを受信する受信部と、前記ドメイン転換関連情報を含む前記メッセージを評価し、その評価結果に基づいて呼のドメイン転換を開始するか否かを決定し、その決定結果に基づいてドメイン転換を選択的に開始する制御部とを含む、ＶＣＣ動作を制御する端末を提供する。
【００２７】
さらに他の態様によれば、本発明は、基準情報に基づいてドメイン転換要求情報を分析し、その分析結果に基づいてドメイン転換要求メッセージを生成する制御部と、端末が進行中の呼のドメイン転換を選択的に開始するように制御するために、前記ドメイン転換要求メッセージを少なくとも１つの端末に送信する送信部とを含む、ドメイン転換動作を制御するネットワーク装置を提供する。
【００２８】
さらに他の態様によれば、本発明は、ドメイン転換要求を受信する受信部と、基準情報に基づいて前記ドメイン転換要求を評価し、その評価結果に基づいてドメイン転換要求メッセージを生成するか否かを決定し、その決定結果に基づいて前記ドメイン転換要求メッセージを生成する制御部と、呼のドメイン転換を選択的に開始するために、前記ドメイン転換要求メッセージを少なくとも１つの端末に送信する送信部とを含む、ドメイン転換動作を制御するサーバを提供する。
【００２９】
さらに他の態様によれば、本発明は、ネットワークサーバが、呼のドメイン転換の開始を要求するか否かを決定する段階と、前記ネットワークサーバが、前記決定結果に基づいて、端末に対する呼のドメイン転換の開始要求を含むメッセージを生成する段階と、前記ネットワークサーバが、前記メッセージを少なくとも１つの端末に送信する段階とを含む、ドメイン転換動作を制御する方法を提供する。
【００３０】
さらに他の態様によれば、本発明は、端末が、ネットワークサーバからドメイン転換関連情報を含むドメイン転換要求メッセージを受信する段階と、前記端末が、前記ドメイン転換関連情報、並びにユーザ嗜好情報及びオペレータポリシー情報の少なくとも一方を評価する段階と、前記端末が、前記評価結果に基づいて進行中の呼のドメイン転換を開始するか否かを決定する段階と、前記端末が、前記決定結果に基づいて前記進行中の呼のドメイン転換を選択的に開始する段階とを含む、ドメイン転換動作を制御する方法を提供する。
【００３１】
本発明の上記及びその他の目的は後述する発明の詳細な説明により明らかになるであろう。しかし、詳細な説明及び特定例は、本発明の好ましい実施形態であるものの、単なる例示のために与えられたものであることを理解すべきであり、当業者であれば本発明の思想や範囲内で様々な変更及び変形が可能であることを理解できるであろう。
【００３２】
本発明は、後述する発明の詳細な説明及び単なる例示のために与えられた添付図面からより完全に理解できるであろうが、これにより限定されるものではない。
【発明を実施するための最良の形態】
【００３３】
本発明は、３ＧＰＰ（３ｒｄ  Ｇｅｎｅｒａｔｉｏｎ  Ｐａｒｔｎｅｒｓｈｉｐ  Ｐｒｏｊｅｃｔ）のＶＣＣに適用されるが、他の通信分野にも適用できる。
【００３４】
基本的に本発明においては、第１に、ネットワークサーバ（例えば、ＶＣＣアプリケーションサーバ）が、少なくとも１つのＵＥ（すなわち、端末）にドメイン転換要求に関する情報（この情報はドメイン転換関連情報ともいう）を含むメッセージを伝達する。前記ドメイン転換関連情報は、ドメイン転換レベル情報（ドメイン転換要求のレベル（又は、クラス）に関する情報）、ネットワーク状態情報（ネットワーク状態などに関する情報）、評価情報（ネットワークサーバの外部ノードもしくは内部モジュールによるドメイン転換要求の評価（又は、分析）などに関する情報）などの少なくとも１つを含むが、これに限定されるものではない。前記ドメイン転換関連情報を含むメッセージは、他の情報を含むこともでき、他の目的のためのメッセージでもよい。
【００３５】
第２に、前記ＵＥが、前記ネットワークサーバから前記ドメイン転換関連情報を含むメッセージを受信し、前記情報に基づいて呼（例えば、進行中の呼又は後続の呼（ｓｕｂｓｅｑｕｅｎｔ  ｃａｌｌ））のドメイン転換を開始（実行）するか否かを決定する。本発明によるＵＥは、前記ドメイン転換関連情報のみに基づいて、又はオペレータポリシー及びユーザの嗜好の少なくとも一方、並びに前記ドメイン転換関連情報に基づいて、前記呼のドメイン転換を開始するか否かを決定する。しかしながら、前記受信したドメイン転換関連情報だけでなく、ＵＥ自身が有する前記オペレータポリシー、ユーザの嗜好の全てを考慮することが好ましい。
【００３６】
以下、本発明の説明に好ましく用いられる用語を定義する。
【００３７】
本発明によるＵＥは、ＶＣＣサービスを利用できる全てのタイプの端末を含む。例えば、本発明によるＵＥは、移動通信端末（例えば、ＵＥ、携帯電話、セルラーフォン、ＤＭＢフォン、ＤＶＢ−Ｈフォン、ＰＤＡ、ＰＴＴなど）、デジタルテレビセット、ＧＰＳナビゲーションデバイス、携帯用ゲーム機、ＭＰ３、その他の家電製品などを包括的に含む。
【００３８】
ユーザの嗜好とは、ＵＥ（又は、端末）がＣＳドメインとＩＭＳドメインの両方を利用できるとき、前記ＵＥのユーザが進行中の呼（例えば、受信呼（ｉｎｃｏｍｉｎｇ  ｃａｌｌ）又は発信呼（ｏｕｔｇｏｉｎｇ  ｃａｌｌ））に対してどのドメインの利用を好むかを示すドメイン選択（又は、ドメイン転換）に関する情報を定義する情報（又は、パラメータ）をいう。
【００３９】
オペレータポリシーとは、ネットワーク状態又はネットワーク管理に関する情報をいう。前記オペレータポリシーは、ネットワーク状態によって、又はネットワーク管理のために、随時アップデートすることができる。前記アップデートされたオペレータポリシーは、進行中の呼（又は、後続の呼）のドメイン転換を要求する情報、及び／又は前記ドメイン転換のためにネットワークが好むドメインに関する情報を含むことができる。
【００４０】
進行中の呼とは、ＵＥとＶＣＣアプリケーション間で進行中の呼をいい、受信呼又は発信呼の全てを含む。本発明は、進行中の呼に適用できるが、これに限定されるものではなく、後続の呼にも適用できる。
【００４１】
本発明で利用される「Ｖ３インタフェース」とは、ＵＥとＶＣＣアプリケーション間での相互情報伝達のためのインタフェースをいう。例えば、前記Ｖ３インタフェースは、その一例として図１では２０と示されている。前記Ｖ３インタフェースは、ＵｔインタフェースとＯＭＡ  ＤＡ（Ｄｅｖｉｃｅ  Ｍａｎａｇｅｍｅｎｔ）とを含む。すなわち、前記ＵＥから前記ＶＣＣアプリケーションへの情報伝達は、前記Ｕｔインタフェースを利用して行えるのに対し、前記ＶＣＣアプリケーションから前記ＵＥへの情報伝達は、ＤＭ方式を用いるＤＭを利用して行える。他の例として、前記Ｖ３インタフェース方式は、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）方式を含む。前記Ｕｔインタフェース、ＤＭ方式、及びＵＳＳＤ方式は公知の技術である。前記Ｖ３インタフェースのプロトコルは、代表的にＸＭＬ形式を有するＨＴＴＰでもよい。
【００４２】
以下、添付図面を参照して本発明の好ましい実施形態の構成及び動作を詳細に説明する。
【００４３】
図３は本発明の一実施形態による呼のドメイン転換の要求のためのＵＥ１００とＶＣＣアプリケーション３００間の信号フローを示す図である。この方法は、図１のネットワーク構造又は他の適当な構造で実現できる。例えば、図３に示すＵＥ１００及びＶＣＣアプリケーション２００は、それぞれ図１に示すＵＥ  １０及びＶＣＣアプリケーション３０でもよい。
【００４４】
図３を参照すると、ＵＥ１００とＶＣＣアプリケーション３００間で、現在呼がＣＳドメイン又はＩＭＳドメイン上で進行している（すなわち、進行中の呼）（Ｓ１）。図３においては、前記進行中の呼がＣＳドメイン上で進行すると仮定する。前記進行中の呼は、ＣＳドメインで開始した呼でもよく、ＩＭＳドメインで開始してＣＳドメインに転換された呼でもよい。
【００４５】
前記進行中の呼がＵＥ１００とＶＣＣアプリケーション３００間で進行中の間に、ＶＣＣアプリケーション３００（すなわち、一種のネットワークサーバ）が、特定ユーザ（すなわち、前記ＵＥのユーザ）の呼の現在のドメイン（例えば、ＣＳドメイン）から他のドメイン（例えば、ＩＭＳドメイン）へのドメイン転換を要求する要求（又は、信号、情報など）を外部ノード（すなわち、オペレータポリシーを制御するノード、移動性管理を制御するノードなど）から受信する（Ｓ２）。変形例として、ＶＣＣアプリケーション３０は、前記要求をＶＣＣアプリケーション３００の内部モジュール（例えば、図１の３０ａ、３０ｂ、３０ｃ、３０ｄなど）から受信することができる。
【００４６】
段階Ｓ２でのネットワーク（例えば、外部ノード又は内部モジュール）によるドメイン転換要求は、様々な原因、例えばネットワークのメンテナンス、ネットワークの特定ノードのトラフィック負荷、又はオペレータポリシーに関する制御などにより発生し得る。前記ドメイン転換要求は、特定ＶＣＣ加入者が使用する１つ（単一）の端末を対象とすることができるが、端末の特定グループ（例えば、他のＶＣＣ加入者）を対象とすることもでき、不特定多数の加入者（例えば、複数の加入者が使用する端末）を対象とすることもできる。
【００４７】
前述したように、段階Ｓ２において、前記ドメイン転換要求は、前記ネットワーク（すなわち、前記外部ノード）からＶＣＣアプリケーション３００に送信される場合の他に、ＶＣＣアプリケーション３００内部の特定状態に基づいて発生（トリガ）し得る。例えば、ＶＣＣアプリケーション３００に対するトラフィックの調整もしくはメンテナンスのために、又はドメイン転換に関するオペレータポリシーを行うために、例えば、ＶＣＣアプリケーション３００に備えられた特定エンティティ（又は、モジュール）（例えば、ドメイン転換機能モジュール、ドメイン選択機能モジュールなど）は、ＶＣＣアプリケーション３００に構成されてドメイン転換要求信号を処理する処理部（例えば、制御部）に、前記ドメイン転換要求を送信することができる。ＶＣＣアプリケーション３００は、前記ネットワーク（例えば、前記外部ノード）又はその内部構成要素（例えば、内部の特定エンティティ）から前記ドメイン転換要求（又は、信号）を受信すると、前記ドメイン転換要求の分析又は評価を行う（Ｓ３）。その評価から得られた情報を評価情報といい、これは、後述する段階Ｓ４で前記ＶＣＣアプリケーションから前記ＵＥに送信されるメッセージに含まれてもよい。
【００４８】
例えば、段階Ｓ３において、ＶＣＣアプリケーション３００は、予め定義されている条件（例えば、前記端末の無線接続（ａｔｔａｃｈｍｅｎｔ）状態、前記進行中の呼のメディアタイプなど）に照らして前記ドメイン転換要求を評価する（すなわち、前記ＶＣＣアプリケーション側で前記要求されたドメイン転換が前記ＵＥの進行中の呼に適するか否かを確認する）。ここで、前記予め定義されている条件とは、前記ＶＣＣアプリケーションに備えられた特定エンティティ、又は特定外部エンティティに保存されている、前記ドメイン転換に関する情報をいう。すなわち、ＶＣＣアプリケーション３００は、前記ドメイン転換要求に応じて、ドメイン転換関連情報を含むメッセージが生成及び／又は前記ＵＥに送信されるべきか否かを分析又は評価する。ここで、前記ドメイン転換要求は、特定加入者が使用する端末を対象としてもよく、特定グループの加入者が使用する端末を対象としてもよい。
【００４９】
次に、段階Ｓ４において、前記ドメイン転換関連情報を含むメッセージがＶＣＣアプリケーション３００から少なくとも１つのＵＥ１００に送信される。前記ドメイン転換関連情報は、ドメイン転換レベル情報を含み、ネットワーク状態情報と評価情報の少なくとも一方をさらに含むことができる。以下、前記ドメイン転換関連情報についてより詳細に説明する。
【００５０】
段階Ｓ３において、ＶＣＣアプリケーション３００は、前記ドメイン転換要求を評価するとき、どのレベル（又は、クラス）のドメイン転換要求を割り当てるかを決定（又は、評価）し、前記ドメイン転換要求のレベルを示すドメイン転換レベル情報を生成する。前記ドメイン転換要求のレベルは、例えば第１〜第３レベル（又は、クラス）に分類できる。このようなレベル（ドメイン転換レベル情報）の例を以下に示すが、本発明はこれに限定されるものではない。
【００５１】
・ドメイン転換要求の第１レベルは、いわゆる「ｓｈａｌｌ  ｂｅ」（ｍｕｓｔ  ｂｅ）であり、ドメイン転換を必ず行うことを要求するレベルである（例えば、そうしないと、前記呼は間もなく切断される）。
【００５２】
・ドメイン転換要求の第２レベルは、いわゆる「ｓｈｏｕｌｄ  ｂｅ」（ｓｈｏｕｌｄ  ｐｒｅｆｅｒａｂｌｙ  ｂｅ）であり、ドメイン転換を行うことを要求するレベルである（例えば、そうしないと、前記呼はリソース不足などにより切断される恐れがある）。
【００５３】
・ドメイン転換要求の第３レベルは、いわゆる「ｒｅｑｕｅｓｔｅｄ」（ｃａｎ  ｂｅ）であり、トラフィック負荷に基づく前記ＵＥの選択によってドメイン転換を行うことを要求するレベルである（例えば、負荷バランシングのためのものであるが、前記ＵＥ次第である）。
【００５４】
このようなドメイン転換要求のレベルは、前記ドメイン転換要求のレベルを示す１つのパラメータの様々な値を用いて、異なるレベルに該当する様々なパラメータを用いて、一種のインジケータを用いて、又はその他の方式を用いて表現することができる。
【００５５】
従って、段階Ｓ４でＶＣＣアプリケーション３００から前記ＵＥに送信されたドメイン転換関連情報は、ドメイン転換要求のレベルを示す前記ドメイン転換レベル情報を含むが、例えば前述した第１〜第３レベルのいずれか１つでもよい。
【００５６】
変形例として、段階Ｓ４で前記ＶＣＣアプリケーションから前記ＵＥに送信されたメッセージは、前記ドメイン転換レベル情報を含むのではなく、ドメイン転換を開始させる要求を含むことができる。また、前記ドメイン転換要求の様々なレベルにそれぞれ該当する様々なメッセージ又は専用メッセージのいずれか一方を、前記ＶＣＣアプリケーションサーバから前記ＵＥに送信することができる。例えば、１つのドメイン転換要求の様々なレベルを示すための専用メッセージが存在し得る。また、前記ドメイン転換レベル情報のために、前記ドメイン転換要求の他のレベルが存在し得る。
【００５７】
前述したように、前記ドメイン転換関連情報（Ｓ４）は、段階Ｓ３で前記ＶＣＣアプリケーションが評価した、前記ネットワークからのドメイン転換要求に関する関連情報、及びその評価に関する情報を含む。すなわち、前記ドメイン転換関連情報は前記評価情報を含むことができる。また、前記ドメイン転換関連情報は他の情報（例えば、前記ネットワークの状態に関するネットワーク状態情報など）を含むことができる。
【００５８】
さらに、前記ドメイン転換関連情報又は前記ドメイン転換関連情報を含むメッセージは、他の目的のためのメッセージに含めるかもしくは組み合わせることができ、かつ／又はシグナリング空間を他の機能性と共有することができる。
段階Ｓ４において、ＶＣＣアプリケーション３００は、前記ドメイン転換関連情報を含むメッセージをＵＥ１００に送信するが、これは、ＶＣＣ  ＵＥ−ＶＣＣアプリケーションサーバ参照点（ｒｅｆｅｒｅｎｃｅ  ｐｏｉｎｔ）、すなわちＶ３インタフェース（例えば、Ｖ３インタフェース２０）を介して、又はユニキャスト方式を用いて行うことができる。変形例として、前記ドメイン転換関連情報を含むメッセージは、例えばマルチキャスト方式又はブロードキャスト方式により、ＶＣＣアプリケーション３００から複数のＵＥに同時に送信することができる。
【００５９】
ＶＣＣアプリケーション３００から前記ドメイン転換関連情報を含むメッセージを受信した後、ＵＥ１００（又は、各ＵＥ）は、前記メッセージに含まれる情報を評価（又は、分析）する（Ｓ５）。次に、ＵＥ１００は、前記受信したメッセージに対する応答メッセージ（例えば、Ａｃｋメッセージ）をＶＣＣアプリケーション３００に送信する（Ｓ６）。ここで、前記応答メッセージは、前記ドメイン転換要求に対する前記ＶＣＣアプリケーション（及び／又はＵＥ）の決定を示す情報を含むことができる。例えば、前記ドメイン転換要求に対する決定は、前記ＶＣＣアプリケーションのドメイン転換要求に対する許可又は拒否を示すことができる。段階Ｓ６は、段階Ｓ４と段階Ｓ５との間で行うことができ、付加的な段階であり得る。
【００６０】
ＵＥ１００は、段階Ｓ５で評価した前記ドメイン転換要求に関する情報を考慮して、呼（例えば、進行中の呼）のドメイン転換を選択的に実行（開始）する（Ｓ７）。このとき、前記ＵＥは、前記呼のドメイン転換を開始するか否かを決定するとき、その決定に影響を与える要因として、前記ドメイン転換要求に関する情報（すなわち、第１要因として、前記メッセージに含まれるドメイン転換関連情報）を、前記ＵＥが既に有している他の要因と共に考慮することができる。前記他の要因の例としては、ユーザの嗜好を第２要因として、オペレータポリシーを第３要因として挙げることができるが、これに限定されるものではない。また、ドメイン転換を決定するための前記要因（すなわち、第１、第２、及び第３要因）間の優先順位（レベル）は、ユーザの設定又はオペレータの設定によって定義できる。例えば、前記第１要因と前記第３要因とが衝突する場合（例えば、前記第１要因がドメイン転換を開始しなければならないことを示し、前記第３要因はそうでない場合）、ＵＥ１００は前記設定によって前記第１要因に従うことを決定する。
【００６１】
一例として、段階Ｓ５において、ＵＥ１００は、前記ドメイン転換関連情報、並びに前記オペレータポリシー及び前記ユーザの嗜好の少なくとも一方に基づいて、現在の呼のドメイン転換を開始するか否かを決定できる。
【００６２】
一方、ＵＥ１００とＶＣＣアプリケーション３００間の参照点は、定義されているインタフェース又はプロトコルを利用して実現することもでき、新しいインタフェースを定義して実現することもできる。例えば、前記参照点は、ＩＭＳベースシグナリング（ＩＭＳ−ｂａｓｅｄ  ｓｉｇｎａｌｉｎｇ）を利用して実現するか、又は他のインタフェースの組み合わせにより実現することができる。
【００６３】
図３の例において、前記呼は進行中の呼（例えば、発信呼又は受信呼）であるが、本発明は後続の呼にも同様に適用できる。例えば、ＵＥ１００は、段階Ｓ４でＶＣＣアプリケーション３００から前記ドメイン転換関連情報を受信できる。次に、ＵＥ１００は、その情報を保存した後、後続の呼のドメイン転換のために、希望通り後で評価することができる。
【００６４】
以下、本発明の一実施形態によるＵＥ１００（すなわち、端末）及びＶＣＣアプリケーション３００（すなわち、ＶＣＣアプリケーションサーバ）の構成及び動作を説明する。
【００６５】
本発明によるＵＥ１００は、ドメイン転換関連情報を含むメッセージを処理するために必要なプライマリハードウェア構成を含んでいる。
【００６６】
例えば、図４に示すように、本発明によるＵＥ１００は、ＶＣＣアプリケーションからドメイン転換要求に関する情報（ドメイン転換関連情報）を含むドメイン転換要求メッセージ（又は、メッセージ）を受信する受信部４３と、前記受信したドメイン転換要求メッセージに対する応答メッセージ（例えば、Ａｃｋメッセージ）を送信する（送る）送信部４１と、前記受信したドメイン転換関連情報、及びオペレータポリシー、ユーザの嗜好などの他の情報を保存するメモリ又は保存ユニット４２と、進行中の呼のドメイン転換を開始（実行）すべきか否かを決定するために、前記ドメイン転換要求メッセージに含まれる前記ドメイン転換関連情報（及び希望であれば他の情報）を評価（又は、分析）し、その決定によって得られた情報（例えば、許可又は拒否）を前記応答メッセージに追加し（又は、含め）、その決定によってドメイン転換の開始を選択的に試みるＶＣＣイネイブラー４６とを含んでいる。ここで、ＶＣＣイネイブラー４６は、ドメイン転換の開始を試みるために前記ドメイン転換関連情報を分析する一種の制御ユニットであり、制御部ともいえる。ＵＥ１００は、Ｕｔインタフェースユニット４７、ＤＭユニット４８、入力ユニット４４、ディスプレイユニット４５などの他の構成要素を含むこともできる。ＵＥ１００の構成要素は動作可能に連結される。
【００６７】
以上、本発明による技術的特徴を含むＵＥの各構成要素の動作及び機能を説明したが、その他のＶＣＣサービスを受信するためのＵＥの基本的な構成要素は、当業者に明らかであるのでその説明を省略する。
【００６８】
本発明によるＶＣＣアプリケーション３００は、ネットワーク状態又はネットワークメンテナンスのために又は他の理由でドメイン転換に関するオペレータポリシーが変更されることによって、ネットワーク（例えば、外部ノード）からドメイン転換要求（転換要求情報）を受信し、ＵＥ１００から送信された応答メッセージ（すなわち、Ａｃｋメッセージ）を受信する受信部と、予め保存されている条件と比較して前記受信したドメイン転換要求を評価（又は、分析）する評価部と、前記評価されたドメイン転換要求に基づいて、ドメイン転換関連情報を含むメッセージを生成するメッセージ生成部と、前記生成されたメッセージをＵＥ１００に送信する送信部とを含んでいる。ここで、前記評価部及びメッセージ生成部は、ドメイン転換を要求するためにドメイン転換関連情報を含むメッセージを生成するので、前記評価部及びメッセージ生成部の各機能を統合して行える一種の制御部として実現することもできる。
【００６９】
本発明は図面に示す実施形態を参照して説明されたが、これは単なる例示にすぎず、本発明の思想又は範囲内でこれらの多様な変更及び変形が可能であることを当業者であれば理解できるであろう。従って、本発明は添付された請求範囲及びその均等物内での変更及び変形を含むものである。
【００７０】
前述したように、本発明は、ネットワークサーバ（すなわち、ＶＣＣアプリケーション）がネットワーク状態又は必要に応じてドメイン転換をＵＥに要求できるという効果がある。また、本発明は、ネットワークサーバが、呼のドメイン転換を開始するか否かに関してＵＥが正しい決定をするために必要な関連情報（ドメイン転換関連情報）を、ＵＥに提供できるようにする。
【００７１】
さらに、本発明は、ネットワーク状態によって、又はネットワークメンテナンスのために、ネットワークサーバがＵＥにドメイン転換を要求する。これにより、ＵＥが不要に呼のドメイン転換を開始せず、ネットワークがドメイン転換を実行／完了できる場合にのみドメイン転換を開始することができる。その結果、本発明は、サービス品質（ＱｏＳ）の低下、又はシグナリングもしくは無線リソースの浪費を効果的に防止することができる。
【図面の簡単な説明】
【００７２】
【図１】本発明を実現できるＶＣＣサービスを提供するネットワークの構造を示す図である。
【図２】従来のＩＭＳドメインとＣＳドメイン間のドメイン転換のためのネットワークの各構成要素間の信号フローを示す図である。
【図３】本発明の一実施形態によるドメイン転換要求の生成及び送信方法を示すためのＵＥとＶＣＣアプリケーション間の信号フローを示す図である。
【図４】本発明の一実施形態による端末又はＵＥのブロック図である。
【図１】
2009524977.tif 000003
【図２】
2009524977.tif 000004
【図３】
2009524977.tif 000005
【図４】
2009524977.tif 000006
【国際調査報告】
2009524977.tif 000007
2009524977.tif 000008